(57)【特許請求の範囲】
【請求項１】
乾電池を電源として動作する加熱調理器に電源を供給する電源供給システムであって、
商用電源で動作する電気機器の前記商用電源から前記乾電池に相当する電源を作成して前記加熱調理器に供給する電源供給手段を設けたことを特徴とする加熱調理器の電源供給システム。
【請求項２】
前記加熱調理器に、乾電池と、前記電源供給手段からの電源を優先して前記加熱調理器へ供給し、前記電源供給手段から電源が供給されない際には前記乾電池から前記加熱調理器へ電源を供給する電源選択手段とを設けたことを特徴とする請求項１に記載の加熱調理器の電源供給システム。
【請求項３】
前記電源供給手段から前記加熱調理器への電源の供給をＯＮ／ＯＦＦさせる切替スイッチを設けたことを特徴とする請求項２に記載の加熱調理器の電源供給システム。
【発明の詳細な説明】
【技術分野】
【０００１】
本発明は、テーブルコンロやビルトインコンロ等の加熱調理器に電源を供給するための電源供給システムに関する。
【背景技術】
【０００２】
テーブルコンロやビルトインコンロ等の加熱調理器においては、特許文献１に開示されるように、電源として乾電池を使用したものがよく知られている。
【先行技術文献】
【特許文献】
【０００３】
【特許文献１】特開２０１１−５２８４１号公報
【発明の概要】
【発明が解決しようとする課題】
【０００４】
しかし、乾電池を電源とすると、電圧の低下によって乾電池を交換する必要が生じ、ユーザにとって交換の手間が生じて煩わしい。
【０００５】
そこで、本発明は、乾電池交換の手間を省くことができ、使い勝手に優れる加熱調理器の電源供給システムを提供することを目的としたものである。
【課題を解決するための手段】
【０００６】
上記目的を達成するために、請求項１に記載の発明は、乾電池を電源として動作する加熱調理器に電源を供給する電源供給システムであって、商用電源で動作する電気機器の商用電源から乾電池に相当する電源を作成して加熱調理器に供給する電源供給手段を設けたことを特徴とするものである。
請求項２に記載の発明は、請求項１の構成において、加熱調理器に、乾電池と、電源供給手段からの電源を優先して加熱調理器へ供給し、電源供給手段から電源が供給されない際には乾電池から加熱調理器へ電源を供給する電源選択手段とを設けたことを特徴とするものである。
請求項３に記載の発明は、請求項２の構成において、電源供給手段から加熱調理器への電源の供給をＯＮ／ＯＦＦさせる切替スイッチを設けたことを特徴とするものである。
【発明の効果】
【０００７】
請求項１に記載の発明によれば、電気機器側の商用電源から加熱調理器の電源を得ることができるため、乾電池が不要となって乾電池交換の手間を省くことができ、使い勝手に優れる。
請求項２に記載の発明によれば、請求項１の効果に加えて、停電等によって商用電源が供給されない場合には、乾電池電源で加熱調理器を動作させることができる。
請求項３に記載の発明によれば、請求項２の効果に加えて、必要に応じて任意の電源を選択でき、利便性が向上する。
【図面の簡単な説明】
【０００８】
【図１】キッチンカウンターの正面図である。
【図２】ビルトインコンロ及びオーブンの回路ブロック図である。
【図３】電源供給処理のフローチャートである。
【図４】ビルトインコンロ及びオーブンの回路ブロック図の変更例である。
【発明を実施するための形態】
【０００９】
以下、本発明の実施の形態を図面に基づいて説明する。
図１は、キッチンカウンターの正面図で、キッチンカウンター１の上部には、加熱調理器としてのビルトインコンロ２が設けられ、その下部には、電気機器としてのオーブン３が設けられている。
まずビルトインコンロ２は、カウンタートップ４上にトッププレート５を有し、そのトッププレート５上に、３つのコンロ６，６・・をそれぞれ備えると共に、カウンタートップ４の下方に位置する器体７内に、グリル８を備えている。器体７の正面パネルには、各コンロ６とグリル８とに対応する点火ボタン９及び火力調整レバー１０がそれぞれ設けられ、右側には乾電池を収納する電池ボックス１１が、左側には調理メニューやタイマー等をセットするための操作パネル１２がそれぞれ設けられている。
一方、オーブン３は、被調理物を収納する加熱庫１３内に、図示しない複数のバーナを備える周知の構成で、正面パネルの上部には、電源スイッチや調理ボタン等を備えた操作パネル１４が設けられている。
【００１０】
図２は、ビルトインコンロ２及びオーブン３の電気的構成の回路ブロック図で、まずビルトインコンロ２では、ＣＰＵやメモリ、タイマー等からなるコンロ制御回路２０を備える他、各コンロ６に設けられた過熱検知用のサーミスタ（ＴＨ）からの検出信号をコンロ制御回路２０へ入力するサーミスタ入力回路２１と、各点火ボタン９の押し操作によってＯＮ／ＯＦＦするコックスイッチ（ＳＷ）の操作信号をコンロ制御回路２０へ入力するスイッチ入力回路２２と、コンロ６のバーナへ点火するイグナイタ（ＩＧ）を駆動させるイグナイタ電源回路２３と、操作パネル（Ｐ）の表示を制御する表示・操作回路２４とを備えている。
【００１１】
また、ここには、作動電圧が所定レベル以下となった場合にコンロ制御回路２０の作動停止を行うと共に、コンロ制御回路２０を初期化するリセットＩＣ回路２５と、作動電圧を監視する電圧監視回路２６と、各バーナへのガス供給路に設けられたセーフティバルブ（ＳＶ）への通電を制御するセーフティバルブ制御回路２７と、各バーナに設けた炎検出用の熱電対（ＴＣ）の熱起電力をコンロ制御回路２０へ入力する炎検知回路２８と、各バーナに設けた火力切替用のキープソレノイドバルブ（ＫＳＶ）の駆動を制御する電磁弁回路２９とが設けられている。
【００１２】
３０は、所定レベルの作動電圧を作成して各回路へ電源を供給する電源回路、３１は、オーブン３側の後述する電源供給回路４９と接続されて乾電池３２を電源として動作し、電源供給回路４９からの電源供給があった場合は、乾電池電源に優先して電源供給回路４９からの電源を電源回路３０へ供給する電源選択手段としての電源選択回路である。この電源選択回路３１としては、トランジスタを用いたスイッチング回路やリレー等を用いて、電源供給回路４９からの電源電圧を検出した際に乾電池側の回路を遮断するようにしたり、電源供給回路４９からの接続端子の接続によって内部に設けたスイッチを切り替えるようにしたり等、種々の構成が採用できる。
【００１３】
一方、オーブン３では、ＣＰＵやメモリ、タイマー等からなるオーブン制御回路４０を備える他、加熱庫１３内に設けられた温度検知用のサーミスタ（ＴＨ）からの検出信号をオーブン制御回路４０へ入力するサーミスタ入力回路４１と、バーナへ点火するイグナイタ（ＩＧ）を駆動させるイグナイタ電源回路４２と、操作パネル（Ｐ）の表示を制御する表示・操作回路４３とを備えている。また、作動電圧が所定レベル以下となった場合にオーブン制御回路４０の作動停止を行うと共に、オーブン制御回路４０を初期化するリセットＩＣ回路４４と、各バーナに設けたフレームロッド（ＦＲ）の炎電流をオーブン制御回路４０へ入力する炎検知回路４５と、各バーナへのガス供給路に設けられた電磁弁（ＭＶ）への通電を制御する電磁弁回路４６とが備えられている。
【００１４】
４７は、プラグ４８によって得られる商用電源から所定レベルの作動電圧を作成して各回路へ電源を供給する電源回路で、電源回路４７とプラグ４８との間は、コンロ２の電源選択回路３１と接続されて、その配線上に、周知の変圧器や整流器等を備え、商用電源を乾電池に相当する直流電源（例えばＤＣ３Ｖ）に変換して電源選択回路３１へ供給する電源供給手段としての電源供給回路４９と、その電源供給回路４９への商用電源の供給を手動でＯＮ／ＯＦＦ操作可能な切替スイッチ５０とが設けられている。この切替スイッチ５０は、例えばビルトインコンロ２側の操作パネル１２やオーブン３側の操作パネル１４に設けられる。
【００１５】
以上の如く構成されたビルトインコンロ１における電源供給に関する動作を、図３のフローチャートに基づいて説明する。
まず、Ｓ１において、切替スイッチ５０がＯＮされているか否かが判別される。ここで切替スイッチ５０がＯＮされていれば、Ｓ２でオーブン電源で動作する。すなわち、電源供給回路４９が商用電源から作成した乾電池相当の電源がビルトインコンロ２の電源選択回路３１に流れるため、この電源が電源回路３０に供給されてビルトインコンロ２の電源として使用されることになる。
【００１６】
一方、Ｓ１の判別で切替スイッチ５０がＯＦＦされていれば、Ｓ３で、乾電池３２がセットされているか否かが判別される。ここで乾電池３２のセットが確認されれば、Ｓ４で乾電池電源で動作する。すなわち、電源供給回路４９からの電源供給がないことで、電源選択回路３１は乾電池３２からの電源を電源回路３０に供給することになる。この処理は、オーブン３側でプラグ４８がコンセントに差し込まれていない場合や停電が生じた場合にも同様である。なお、このフローで言う乾電池３２のセットとは、乾電池電源が所定電圧（例えば３Ｖ）以上確認されることを意味し、所定電圧を下回る場合は乾電池３２がセットされていないと判別する。
【００１７】
また、乾電池電源での動作中は、Ｓ１での切替スイッチ５０のＯＮ確認と、Ｓ３での乾電池３２のセットの確認とがそれぞれなされる。よって、Ｓ１の判別で切替スイッチ５０がＯＮされていれば、Ｓ２でオーブン電源で動作する。
そして、Ｓ３の判別で乾電池３２がセットされていなければ、ビルトインコンロ１には電源が供給されないため、動作しないことになる（Ｓ５）。但し、続くＳ１の判別で切替スイッチ５０のＯＮが確認されれば、オーブン電源で動作するし（Ｓ２）、Ｓ３の判別で乾電池３２のセットが確認されれば、乾電池電源で動作する（Ｓ４）。
【００１８】
このように、上記形態のビルトインコンロ２の電源供給システムによれば、商用電源で動作するオーブン３側の商用電源から乾電池に相当する電源を作成してビルトインコンロ２に電源として供給する電源供給回路４９を設けたことで、乾電池交換の手間を省くことができ、使い勝手に優れる。
【００１９】
特にここでは、ビルトインコンロ２に、乾電池３２と、電源供給回路４９からの電源を優先してビルトインコンロ２へ供給し、電源供給回路４９から電源が供給されない際には乾電池３２からビルトインコンロ２へ電源を供給する電源選択回路３１とを設けたことで、停電等によって商用電源が供給されない場合には、乾電池電源でビルトインコンロ２を動作させることができる。
また、電源供給回路４９からビルトインコンロ２への電源の供給をＯＮ／ＯＦＦさせる切替スイッチ５０を設けたことで、必要に応じて任意の電源を選択でき、利便性が向上する。
【００２０】
なお、上記形態では、オーブン側に電源供給回路を設けているが、ビルトインコンロ側に設けてもよい。また、電源供給回路を別途設けずに、図４に示すように、オーブン３の電源回路４７で作成した乾電池相当の電源を、切替スイッチ５０を介してビルトインコンロ２の電源選択回路３１に供給するようにしてもよい。
さらに、図２や図４の形態で切替スイッチを省略して、オーブン側での電源投入と同時に乾電池相当の電源を常にビルトインコンロの電源選択回路へ供給するようにしても差し支えない。この場合、切替スイッチの操作が不要となる。
加えて、ビルトンコンロでは乾電池自体も省略してオーブン側からの電源でのみ動作するようにすることもできる。
【００２１】
その他、電気機器としてはオーブンに限らず、レンジやコンビネーションレンジ、食器洗い乾燥機等、商用電源で動作するものであれば他の種類でも差し支えないし、加熱調理器もビルトインコンロに限らず、乾電池電源で動作するものであればテーブルコンロ等でも差し支えない。
【符号の説明】
【００２２】
１・・キッチンカウンター、２・・ビルトインコンロ、３・・オーブン、４・・カウンタートップ、５・・トッププレート、６・・コンロ、７・・器体、８・・グリル、１１・・電池ボックス、１２，１４・・操作パネル、２０・・コンロ制御回路、３０，４７・・電源回路、３１・・電源選択回路、３２・・乾電池、４０・・オーブン制御回路、４８・・プラグ、４９・・電源供給回路、５０・・切替スイッチ。
【図１】
0005877037.tif 000002
【図２】
0005877037.tif 000003
【図３】
0005877037.tif 000004
【図４】
0005877037.tif 000005